(57)【要約】      （修正有）【課題】立体形状成形装置で成形される成形物に香りを付与する。【解決手段】立体形状成形装置は、三次元データに基づいて、立体形状を成形する成形手段２１８と、三次元データに香りに関する情報が含まれる場合、この情報に応じて立体形状に香り成分を付与する制御部２１１とを有する。【選択図】図５
2018161770.tif 000002
【特許請求の範囲】
【請求項１】
三次元データに基づいて立体形状を成形する成形手段と、
前記三次元データに香りに関する情報が含まれる場合、当該情報に応じて前記立体形状に対する香り成分の付与を制御する制御部と
を有する立体形状成形装置。
【請求項２】
前記制御部は、前記香り成分を付与する場合、当該香り成分を付与する部位および当該部位の周囲の両方又は一方の強度を高める構造を追加する、請求項１に記載の立体形状成形装置。
【請求項３】
前記制御部は、構造体を追加する、請求項２に記載の立体形状成形装置。
【請求項４】
前記制御部は、前記香り成分を付与する前記部位の表面に保護層を追加する、請求項２に記載の立体形状成形装置。
【請求項５】
前記制御部は、前記香り成分の発生条件が含まれる場合、当該発生条件に応じた香り材料を選択する、請求項１に記載の立体形状成形装置。
【請求項６】
前記発生条件として水分が指定されている場合、前記制御部は、前記香り成分を前記立体形状の表層部位に付与する、請求項５に記載の立体形状成形装置。
【請求項７】
前記発生条件として加熱が指定されている場合、熱源からの熱が伝搬する部位に前記香り成分を付与する、請求項５に記載の立体形状成形装置。
【請求項８】
複数の前記熱源に対して異なる前記香り成分を付与する、請求項７に記載の立体形状成形装置。
【請求項９】
前記香りに関する情報に応じた前記香り成分を付与できない場合、前記立体形状の成形を開始する前に通知する、請求項１に記載の立体形状成形装置。
【請求項１０】
成形対象とする立体形状の表示画面上で、香りに関する情報を付与する部位を受け付ける受付部と、
前記香りに関する情報を含む三次元データを生成するデータ生成部と
を有する情報処理装置。
【請求項１１】
前記データ生成部は、前記受付部を通じて受け付けた香りの発生条件を前記三次元データに含める、請求項１０に記載の情報処理装置。
【請求項１２】
コンピュータに、
成形対象とする立体形状の表示画面上で、香りに関する情報を付与する部位を受け付ける処理と、
前記香りに関する情報を含む三次元データを生成する処理と
を実行させるためのプログラム。
【発明の詳細な説明】
【技術分野】
【０００１】
本発明は、立体形状成形装置、情報処理装置及びプログラムに関する。
【背景技術】
【０００２】
特許文献１には、三次元立体物データ（以下では「三次元データ」という。）を使用して三次元立体物（以下では「立体形状」という。）を成形し、その表面を露光により加飾する技術が記載されている。
【先行技術文献】
【特許文献】
【０００３】
【特許文献１】特開２０１４−１８０７８９号公報
【発明の概要】
【発明が解決しようとする課題】
【０００４】
現在、立体形状成形装置への新たな機能の追加が模索されている。また、立体形状成形装置によって成形される立体形状（以下では「成形物」ともいう。）についても更なる機能の追加が模索されている。
【０００５】
本発明は、立体形状成形装置で成形される成形物に香りを付与することを目的とする。
【課題を解決するための手段】
【０００６】
請求項１に記載の発明は、三次元データに基づいて立体形状を成形する成形手段と、前記三次元データに香りに関する情報が含まれる場合、当該情報に応じて前記立体形状に対する香り成分の付与を制御する制御部とを有する立体形状成形装置である。
請求項２に記載の発明は、前記制御部は、前記香り成分を付与する場合、当該香り成分を付与する部位および当該部位の周囲の両方又は一方の強度を高める構造を追加する、請求項１に記載の立体形状成形装置である。
請求項３に記載の発明は、前記制御部は、構造体を追加する、請求項２に記載の立体形状成形装置である。
請求項４に記載の発明は、前記制御部は、前記香り成分を付与する前記部位の表面に保護層を追加する、請求項２に記載の立体形状成形装置である。
請求項５に記載の発明は、前記制御部は、前記香り成分の発生条件が含まれる場合、当該発生条件に応じた香り材料を選択する、請求項１に記載の立体形状成形装置である。
請求項６に記載の発明は、前記発生条件として水分が指定されている場合、前記制御部は、前記香り成分を前記立体形状の表層部位に付与する、請求項５に記載の立体形状成形装置である。
請求項７に記載の発明は、前記発生条件として加熱が指定されている場合、熱源からの熱が伝搬する部位に前記香り成分を付与する、請求項５に記載の立体形状成形装置である。
請求項８に記載の発明は、複数の前記熱源に対して異なる前記香り成分を付与する、請求項７に記載の立体形状成形装置である。
請求項９に記載の発明は、前記香りに関する情報に応じた前記香り成分を付与できない場合、前記立体形状の成形を開始する前に通知する、請求項１に記載の立体形状成形装置である。
請求項１０に記載の発明は、成形対象とする立体形状の表示画面上で、香りに関する情報を付与する部位を受け付ける受付部と、前記香りに関する情報を含む三次元データを生成するデータ生成部とを有する情報処理装置である。
請求項１１に記載の発明は、前記データ生成部は、前記受付部を通じて受け付けた香りの発生条件を前記三次元データに含める、請求項１０に記載の情報処理装置である。
請求項１２に記載の発明は、コンピュータに、成形対象とする立体形状の表示画面上で、香りに関する情報を付与する部位を受け付ける処理と、前記香りに関する情報を含む三次元データを生成する処理とを実行させるためのプログラムである。
【発明の効果】
【０００７】
請求項１記載の発明によれば、立体形状成形装置で成形される成形物に香りを付与することができる。
請求項２記載の発明によれば、香り付きの成形物の強度を維持又は高めることができる。
請求項３記載の発明によれば、香り付きの成形物の強度を維持又は高めることができる。
請求項４記載の発明によれば、香り付きの成形物の強度を維持又は高めることができる。
請求項５記載の発明によれば、発生条件に応じて香りを発生する成形物を成形できる。
請求項６記載の発明によれば、水分に接した場合に香りを発生する成形物を成形できる。
請求項７記載の発明によれば、電子的に定める条件を満たす場合に香りを発生する成形物を成形できる。
請求項８記載の発明によれば、条件別に異なる香りを発生する成形物を成形できる。
請求項９記載の発明によれば、意図せぬ成形物の成形を回避して材料の無駄を低減できる。
請求項１０記載の発明によれば、香り付きの成形物を成形するための三次元データを生成できる。
請求項１１記載の発明によれば、香りの発生条件を含む三次元データを生成できる。
請求項１２記載の発明によれば、香り付きの成形物を成形するための三次元データを生成できる。
【図面の簡単な説明】
【０００８】
【図１】実施の形態１に係る情報処理装置と立体形状成形装置の接続形態例を説明する図である。
【図２】情報処理装置のハードウェア構成の一例を示す図である。
【図３】情報処理装置に搭載される制御部の機能構成例を説明する図である。
【図４】香り受付画面の表示例を示す図である。
【図５】立体形状成形装置のハードウェア構成の一例を示す図である。
【図６】立体形状成形装置に搭載される制御部の機能構成例を説明する図である。
【図７】立体形状成形装置によって成形される立体形状の構造例を説明する図である。
【図８】加熱によって香りを発生する場合に採用する電子回路の一例を説明する図である。
【図９】立体形状の使用例１を説明する図である。
【図１０】立体形状の使用例２を説明する図である。
【図１１】立体形状の使用例３を説明する図である。
【図１２】立体形状の使用例４を説明する図である。
【図１３】立体形状の使用例５を説明する図である。
【図１４】立体形状の使用例６を説明する図である。
【発明を実施するための形態】
【０００９】
以下、添付図面を参照して、本発明の実施の形態について詳細に説明する。
【００１０】
＜実施の形態１＞
図１は、実施の形態１に係る情報処理装置１００と立体形状成形装置２００の接続形態例を説明する図である。情報処理装置１００と立体形状成形装置２００は通信手段を通じて接続されていればよい。なお、図１では、信号線によって情報処理装置１００と立体形状成形装置２００が直接接続されているが、ネットワーク経由で接続されてもよい。
本実施の形態における情報処理装置１００は、三次元データの生成装置として用いられる。情報処理装置１００は、いわゆるコンピュータである。
【００１１】
＜情報処理装置＞
まず、情報処理装置１００について説明する。
図２は、情報処理装置１００のハードウェア構成の一例を示す図である。
情報処理装置１００は、装置全体を制御する制御部１０１と、三次元データやプログラムの記憶に用いられる記憶部１０５と、画像の表示に使用される表示部１０６と、ユーザの入力操作を受け付ける操作受付部１０７と、外部装置（例えば立体形状成形装置２００）との通信に用いられる通信部１０８とを有している。
これらの各部はバス１０９を通じて互いに接続されており、バス１０９を介してデータを受け渡しする。
【００１２】
制御部１０１は、制御手段の一例であり、ＣＰＵ（Central Processing Unit）１０２、ＲＯＭ（Read Only Memory）１０３、ＲＡＭ（Random Access Memory）１０４により構成されている。
ＲＯＭ１０３には、ＣＰＵ１０２により実行されるプログラムが記憶されている。ＣＰＵ１０２は、ＲＡＭ１０４を作業エリアに使用し、ＲＯＭ１０３から読み出したプログラムを実行する。プログラムの実行を通じ、情報処理装置１００の各部が制御される。
本実施の形態における制御部１０１は受付部の一例であると共にデータＪ生成部の一例でもある。
【００１３】
記憶部１０５は、ハードディスク装置や半導体メモリなどの記憶装置により構成される。
表示部１０６は、プログラム（オペレーションシステムやファームウェアを含む）の実行を通じて各種の画像を表示するディスプレイ装置である。表示部１０６は、例えば液晶ディスプレイパネルや有機ＥＬ（Electro Luminescence）ディスプレイパネルで構成される。
操作受付部１０７は、ユーザからの操作を受け付ける入力装置であり、例えばキーボード、ボタン、スイッチ、タッチパッド、タッチパネルなどで構成される。
通信部１０８は、例えばＬＡＮ（Local Area Network）インターフェースで構成される。
【００１４】
図３は、情報処理装置１００に搭載される制御部１０１の機能構成例を説明する図である。制御部１０１の機能はプログラムの実行を通じて実現される。
本実施の形態における制御部１０１は、香り成分を付与する部位の指示入力に使用される香り受付部１１０と、香り成分に関する情報を含む三次元データを生成するデータ生成部１１１として機能する。
香り成分に関する情報には、後述するように香りの名称、系統、地域、主成分などが含まれる。香り成分に関する情報は、香りに関する情報の一例である。
データ生成部１１１は、香り受付部１１０を通じて香りの発生条件を受け付けた場合、その発生条件を香り成分に関する情報の一部として三次元データに含める機能も有している。
【００１５】
三次元データのフォーマットには、ポリゴンデータで構造を表現するＳＬＴ（Stereo LiThography）フォーマット、ボクセルデータで構造を表現するＦＡＶ（FAbricatable Voxel）フォーマット、ポリゴンデータで構造を表現するＡＭＦ（Additive Manufacturing File）フォーマットなどを使用する。勿論、これらのフォーマットは一例である。
既存のフォーマットには、香り成分に関する情報（以下、「香りデータ」という。）を記述するための専用の領域は用意されていない。このため、本実施の形態では、これらのフォーマットを拡張して使用する。
【００１６】
図４は、表示画面に表示される香り受付画面１２０の表示例を示す図である。
香り受付画面１２０には、成形対象とする立体形状が表示される表示欄１２０Ａと、立体形状に付着する香りを指定するための入力欄１２０Ｂとが配置されている。図４の場合、表示欄１２０Ａには、円柱が表示されている。この立体形状には色が付されていてもよいし、色が付されていなくてもよい。
図４では、表示欄１２０Ａに立体形状を斜め上方から観察した外観像が表示されているが、表示形態はユーザの選択により自由に変更できる。例えば立体形状の縦断面図や横断面図を表示してもよい。
【００１７】
図４の場合、入力欄１２０Ｂは、選択状態を示すチェックボックス欄１２１と、香りの種類の指定に用いられる種類欄１２２と、香りの発生条件の指定に用いられる条件欄１２３とで構成されている。図４の場合、入力欄１２０Ｂは３種類の香りの設定が可能である。勿論、この表示は一例であり、入力欄１２０Ｂの個数は１つでも、２つでも、４つ以上でも構わない。
香り受付画面１２０に対する操作入力には、ポインタ１２４が使用される。ポインタ１２４は、表示欄１２０Ａに表示された立体形状に対して香りを付加する部位の指定に用いられる他、入力欄１２０Ｂを構成する各欄に対する指示操作にも使用される。
【００１８】
図４は、立体形状に対して香りを付与する部位の指定に枠１２５が用いられる例を示している。
また、図４は、立体形状のうち枠１２５で囲まれた部位に適用される香りが「香り１」である場合を表している。１行目のチェックボックス欄１２１には選択状態を示すチェック記号が表示されている。
本実施の形態の場合、香りの種類と発生条件の欄はそれぞれプルダウン形式で項目を選択できる。
【００１９】
香りの種類は、名称、系統、地域、主成分などの観点から選択できるようになっている。
名称の例には、ラベンダー、イランイラン、ローズ、カモミール、オレンジスイート、グレープフルーツ、ローズウッド、セダーウッド、ベルガモット、ジュニパー、サイプレス、ゼラニウム、ジャスミン、レモン、ペパーミント、マンダリン、マージョラム、フランキンセンス、ローズマリー、レモングラス、パチュリ、サンダルウッド、タイム、バジルなどがある。
系統の例には、フローラル、オリエンタル、柑橘、樹木、ハーブ、スパイス、樹脂などがある。
地域の例には、東南アジア、欧米、中東などがある。
主成分の例には、ラベンダーの場合のリナロール、酢酸リナリル、β−オシメン、テルピネン−４−オール、イランイランの場合のゲルマクレンＤ、ファルネセン、β−カリオフィレン、酢酸ベンジル、安息香酸ベンジルなどがある。
【００２０】
発生条件は、香り成分の揮発性能が発揮される条件を指定するために設けられており、例えば「温度（気温）」、「湿度（水分）」、「加熱」などの中から選択できるようになっている。
一般に、香り成分は温度が高い場合や湿度が高い場合に揮発し易いことが知られている。もっとも、温度や湿度に応じた揮発量は、香り成分の種類や溶媒の組み合わせなどによっても異なる。
なお、一般的に香り成分は立体形状の表層部位に付与することが望ましい。香り成分の空気中への放出が容易なためである。しかし、特定の条件下でのみ香り成分を空気中に放出させたい場合等では、表層部ではなく深層部位に付与してもよい。深層部位とは厚み方向について深層の意味であり、表面から予め定めた距離以上深い内部領域をいう。例えば１ｍｍ以上の内部領域をいう。
揮発性能の温度や湿度による発揮条件の指定ができない場合には、発生条件を画面上で指定できないようにしてもよい。
【００２１】
発生条件の１つである「加熱」は、香り成分の発生を立体形状に組み込む熱源による加熱により制御したい場合に選択される。例えばセンサ、スイッチ、電子データの保存などを前提として、特定の温度、湿度、時間帯、使用場所、使用地域、使用者の性別、使用者の年齢、種類の違い（例えば色違い）によって立体形状から発生される香りを変更したい場合に用いられる。
【００２２】
「加熱」が選択された場合、香り成分は、熱源が組み込まれる部位の周辺に付与することが望ましい。熱の伝搬が効率的に行える部位に付与することで、香り成分の空気中への放出の制御が容易になるためである。
香りの発生に熱源を使用する場合には、三次元データのメタデータの一部に熱源の配置位置に関する情報を含めてもよい。熱源の配置位置に関する情報が三次元データに含まれていれば、香り受付画面１２０の画面上で、ユーザに対して香り成分の付与に適した領域を示唆することができる。
なお、熱源、導電パターン、電子部品、集積回路、アンテナ、電子タグなどを立体形状成形装置２００が成形できる場合には、これらの部品に対応する材料の情報や設計図なども三次元データに含まれる。
【００２３】
実施の形態１で使用する三次元データは、ＦＡＶフォーマットを前提としている。ＦＡＶフォーマットは、大きく分けて４つのパートで構成される。４つのパートとは、メタデータ（metadata）、パレット（palette）、ボクセル（voxel）、オブジェクト（object）である。ここで、パレットはボクセルから参照され、ボクセルはオブジェクトから参照される。
【００２４】
メタデータには、ＦＡＶフォーマットで定義される各種データに関するメタデータが記載される。
パレットには、三次元データをＦＡＶフォーマットに基づいて構成するための前準備として、ボクセルの形状や材料などの基本情報が登録される。パレットに登録された基本情報で構成されるボクセルを用いてオブジェクトを定義する。
【００２５】
パレットは、下位階層の要素としてジオメトリ（geometry）、マテリアル（material）を含んでいる。ジオメトリでは、三次元データを構成する基本要素となるボクセルの形状や倍率の定義が記述される。定義される形状には、立方体、平板、球、円柱などがある。マテリアルには、三次元データを構成する基本要素となるボクセルに設定する材料情報が記述される。
【００２６】
ボクセルは、パレットに登録されているジオメトリ、マテリアルなどの情報を保持する。そのため、ボクセルは、三次元データの各位置において、形状以外の情報も定義することができる。
ボクセルは、下位階層の要素としてジオメトリ情報（geometry_info）、マテリアル情報（material_info）、ディスプレイ（display）、アプリケーションノート（application_note）を含んでいる。
ジオメトリ情報は、ボクセルの形状や倍率を指定する。マテリアル情報は、材料情報を設定する。ディスプレイは、色情報を指定する。色情報は、形状や材料などの属性の違いを分かりやすく可視化する目的で使用される。アプリケーションノートは、記載内容に制限のないプロパティ情報の格納に使用される。
【００２７】
オブジェクトは、三次元データを格納する空間を与えるグリッド（grid）と、グリッドの中に配置する三次元データの構造を規定するストラクチャ（structure）を含んでいる。
ストラクチャには、ボクセルマップ（voxel_map）、カラーマップ（color_map）、リンクマップ（link_map）、香りマップ（frag_map）が含まれる。
【００２８】
ここで、ボクセルマップは、グリッドで定義された三次元的なグリッドを構成するＸＹ平面の１層ごとに層内のボクセルの有無を定義する。カラーマップは、ボクセルマップで列挙された個々のボクセルに対するカラー情報を定義する。リンクマップは、ボクセル間の接合強度などを表現する。香りマップは、個々のボクセルに付与する香り成分を定義する。ここでの香り成分は、香り受付画面１２０（図４）の種類欄１２２で指定された情報が記述される。
本実施の形態の場合、香りマップは下位階層の要素としてコンディション（condition）を含んでいる。コンディションには、例えば香り受付画面１２０（図４）の条件欄１２３で指定された情報が記述される。
【００２９】
ユーザは、図４に示すようなボクセル単位で記述した形状をボクセルレベルの拡大図を通じて材料の配置状態を確認できるようにしてよい。すなわち、ボクセル毎に材料の情報や香りの情報がテキスト、図柄等の情報で記述され、その画面を通じて立体物の再設計が容易にできる。
【００３０】
香り成分は、一般には、立体形状の表層部位に配置される。立体形状に付与された香りが鼻腔に到達するには空気中に発散される必要があるためである。
従って、データ生成部１１１（図３参照）には、ユーザによって香り成分の付与が指示された場合に、成形対象である立体形状の表層部位に指定された香り成分を配置する機能も含まれている。
なお、香り成分に関する情報は、香りマップやコンディションに限らず、メタデータに記述されてもよい。
【００３１】
後述するように、立体形状の成形方式には様々な方式が存在する。従って、情報処理装置１００には、三次元データの一部に、成形方式別に香り成分を付与するためのプロセス情報を埋め込むようにしてよい。すなわち、三次元データには、複数の成形方式のそれぞれに対応付けられた複数のプロセス情報を含めることが好ましい。
複数のプロセス情報が含まれていれば、三次元データを使用する立体形状成形装置２００の側で、使用可能な成形方式に応じたプロセス情報を選択して香り成分付きの立体形状の成形プロセスを実行できる。
また、立体形状成形装置２００との通信により三次元データの送信前に立体形状成形装置２００で使用可能な成形方式が分かった場合には、送信先である立体形状成形装置２００の成形方式に対応する成形プロセスだけを三次元データに含めてもよい。
【００３２】
以上説明したように、本実施の形態に係る情報処理装置１００を用いれば、個々のボクセルに香り成分を対応付けた三次元データを生成することができ、生成された三次元データを立体形状成形装置２００に与えることにより、設計通りの立体形状を成形することができる。
なお、本実施の形態における情報処理装置１００には、詳細については後述するが、香り成分の追加によって成形される立体形状の強度が低下する場合には、強度が向上するように立体形状の構造や成形材料を修正する機能が搭載されてもよい。この機能が搭載されている場合には、立体形状成形装置２００における三次元データの修正動作を省略することができる。
【００３３】
＜立体形状成形装置＞
続いて、立体形状成形装置２００について説明する。
図５は、立体形状成形装置２００のハードウェア構成の一例を示す図である。
立体形状成形装置２００は、装置全体を制御する制御部２１１と、三次元データやプログラムの記憶に用いられる記憶部２１５と、成形する立体形状に対応する画像の表示に使用される表示部２１６と、ユーザの入力操作を受け付ける操作受付部２１７と、三次元データに基づいて立体形状を成形する立体形状成形部２１８と、外部装置（例えば情報処理装置１００）との通信に用いられる通信部２１９とを有している。
これらの各部はバス２２０を通じて互いに接続されており、バス２２０を介してデータを受け渡しする。
【００３４】
制御部２１１は、制御手段の一例であり、ＣＰＵ（Central Processing Unit）２１２、ＲＯＭ（Read Only Memory）２１３、ＲＡＭ（Random Access Memory）２１４により構成されている。
ＲＯＭ２１３には、ＣＰＵ２１２により実行されるプログラムが記憶されている。ＣＰＵ２１２は、ＲＡＭ２１４を作業エリアに使用し、ＲＯＭ２１３から読み出したプログラムを実行する。プログラムの実行を通じ、立体形状成形装置２００の各部が制御される。
【００３５】
記憶部２１５は、ハードディスク装置や半導体メモリなどの記憶装置により構成され、情報処理装置１００から受信した三次元データの記憶に使用される。
表示部２１６は、プログラム（オペレーションシステムやファームウェアを含む）の実行を通じて各種の画像を表示するディスプレイ装置である。表示部２１６は、例えば液晶ディスプレイパネルや有機ＥＬ（Electro Luminescence）ディスプレイパネルで構成される。
操作受付部２１７は、ユーザからの操作を受け付ける入力装置であり、例えばキーボード、ボタン、スイッチ、タッチパッド、タッチパネルなどで構成される。
【００３６】
立体形状成形部２１８には、三次元データが指定する材料や成形する立体形状の形状などに適した成形方式の装置が用いられる。立体形状成形部２１８は成形手段の一例である。
成形方式には、例えば熱溶解方式、光造形方式、粉末固着方式、粉末焼結方式、インクジェット方式などがある。
熱溶解方式（又は材料押出堆積方式）が採用される場合、立体形状成形部２１８は、熱で溶かした樹脂をノズルから押し出しながら積層することで立体形状を成形する。この方式では、熱可塑性の樹脂が使用される。
光造形方式が採用される場合、立体形状成形部２１８は、液体状の光硬化性樹脂を紫外線レーザで一層ずつ硬化させながら積層することで立体形状を成形する。
粉末固着方式が採用される場合、立体形状成形部２１８は、敷き詰められた粉末（例えば石膏）に水溶性の接着剤を噴射して固化することで立体形状を成形する。
粉末焼結方式が採用される場合、立体形状成形部２１８は、立体形状の断面データに基づいてレーザで粉末素材の表面を走査して硬化することで立体形状を成形する。
インクジェット方式が採用される場合、立体形状成形部２１８は、インクジェットノズルから吐出した紫外線硬化樹脂を硬化させることで立体形状を成形する。
複数の材料を用いて立体形状を成形する場合、材料別にヘッドを用意して成形するボクセル別に各ヘッドを切り替える。
【００３７】
三次元データに香り成分が含まれる場合、立体形状成形部２１８は、立体形状の成形過程で又は成形後に、予め定めた位置に香りを付与する処理を実行する。香り成分を付与する方法は、立体形状成形装置２００側の装置構成や使用可能な材料にも依存する。
例えば三次元データで指定された香り成分に対応する香料（例えば数ミクロンから数百ミクロンの大きさを有するマイクロカプセル内に保存されている。以下同じ。）を混合した成形材料を使用できる場合、香料を混合した成形材料を使用して立体形状を成形する。
【００３８】
ここでの香料を保存するマイクロカプセルは内部に１つ又は複数の空洞を有し、科学的手法、物理化学的手法、機械的・物理的手法などにより形成される。なお、粒子径は一例であり、相当径と有効径のいずれでもよく、各測定方法による平均値や分布が前述の範囲に含まれていればよい。
マイクロカプセルは、揮発し易い香料の長期保存に適しており、加熱や摩擦によってカプセルが破壊されると、内部に保存されている香料が空気中に放出される。
なお、特定の温度や湿度で破壊が促進されるマイクロカプセルを用いれば、ユーザの希望する温度や湿度で特定の香り成分を放出する立体形状を成形することができる。
【００３９】
なお、香り成分を付与する方法には、香料を立体形状に用意される空間に充填又は装填する方法、立体形状の成形後に塗布する方法、成形された立体形状を燻製用の空間に移動させて燻製する方法などがある。香り成分の付着には、必要に応じて立体形状成形部２１８とは別の装置部を使用する。
前述したように、情報処理装置１００が生成する三次元データには、複数の成形方式のそれぞれについて香り成分を立体形状に付与するためのプロセス情報が含まれている場合がある。この場合、立体形状成形装置２００は、自装置の成形方式に対応するプロセス情報を三次元データから読み出して立体形状の成形プロセスを実行する。
【００４０】
図６は、立体形状成形装置２００に搭載される制御部２１１の機能構成例を説明する図である。制御部２１１の機能はプログラムの実行を通じて実現される。
本実施の形態における制御部２１１は、受信した三次元データによって成形される立体形状の強度を評価する強度評価部２２１と、設計上の強度が得られない場合に三次元データで指定された材料や構造に修正を加えるデータ修正部２２２として機能する。
【００４１】
強度評価部２２１は、構造シミュレーションを実行して三次元データに基づいて成形される立体形状が予め定めた強度を発揮するか評価する機能部である。例えば香料の充填用又は装填用に立体形状の内部に隙間などの空間が配置されることで強度の低下が認められる場合や香料を混合したボクセルを表層部位に配置することで構造体の肉厚が減少して強度の低下が認められる場合が考えられる。
強度評価部２２１は、構造シミュレーションの結果、強度の不足が認められた部位に関する情報をデータ修正部２２２に与える。
【００４２】
データ修正部２２２は、強度の不足が検出された場合に、材料の変更や内部構造の修正を実行する機能部である。データ修正部２２２は、例えば強度の不足が検出された部位又はその周囲の部位を成形する材料の変更（材料の置換、補強材料の追加を含む。）、立体形状の内部空間への構造体の追加配置などを実行する。ここでの修正には、香り成分の通過が可能な保護層を、香り成分を付与した部位の表面に追加することも含まれる。
【００４３】
また、本実施の形態における制御部２１１は、三次元データに含まれる香り成分の発生条件を解析する条件解析部２２３と、発生条件に応じた具体的な材料を選択する材料選択部２２４と、立体形状の成形を開始する前に三次元データで指示された通りの立体形状を成形できない旨をユーザに通知する未対応通知部２２５としても機能する。
【００４４】
条件解析部２２３は、三次元データに香り成分の付与位置（香り成分が付与されるボクセルの位置）が特定されていない場合、香り成分の付与に適した位置をデータ修正部２２２に与える機能を提供する。例えば立体形状の表層部位への香り成分の配置、熱源からの熱伝搬距離が短い部位への配置などがデータ修正部２２２に与えられる。この場合、データ修正部２２２は、香り成分を付与する部位を三次元データに追加するなどの処理を実行する。例えば発生条件として水分が指定されている場合、データ修正部２２２は、香り成分を立体形状の表層部位に配置するように三次元データを修正する。
【００４５】
材料選択部２２４は、三次元データで指定された名称の香りを発生できる香料の選択や発生条件に適したマイクロカプセルに保存された香料を選択する処理を実行する。材料選択部２２４は、立体形状成形部２１８が使用可能な香料や材料についての情報を記憶部２１５から読み出して具体的な材料を決定する。なお、材料選択部２２４は、通信部２１９を通じて外部のサーバなどと通信し、代替材料についての情報を取得してもよい。
【００４６】
未対応通知部２２５は、最終的に確定された香料その他の材料による立体形状の成形が困難である場合（材料の不足も含む。）にその旨をユーザに通知する機能を提供する。ユーザへの通知は、表示部２１６や不図示の警告ランプの点灯などにより実行してもよいし、通信部２１９を介して三次元データの送信元である情報処理装置１００に通知してもよい。この通知機能により無駄な成形動作を未然に回避でき、材料の無駄を低減できる。
【００４７】
以上説明したように、本実施の形態に係る立体形状成形装置２００を用いれば、香り付きの立体形状を成形することができる。
また、本実施の形態に係る立体形状成形装置２００を用いれば、香りの付与によって強度の不足が発生する場合には三次元データを修正して強度を高めることができる。
また、本実施の形態に係る立体形状成形装置２００を用いれば、発生条件に応じた香り材料が指定されていない場合でも発生条件を満たす香り材料を選択することができる。
また、本実施の形態に係る立体形状成形装置２００を用いれば、香り成分の付与位置が三次元データで具体的に指定されていない場合でも、香りの発生条件に応じた部位に香り成分を付与することができる。
また、本実施の形態に係る立体形状成形装置２００を用いれば、意図する香り成分を付与した立体形状を成形できない場合には事前にその旨を通知でき、材料の無駄を低減することができる。
【００４８】
＜立体形状の構造例＞
図７は、立体形状成形装置２００によって成形される立体形状２５０の構造例を説明する図である。図７には立体形状２５０を縦方向に切断した断面構造が示されている。立体形状２５０は、円柱に相当する。
図７に示す立体形状２５０の場合、底面側には電池やスイッチＳＷ等を収容する空洞２５１が形成されている。また、空洞２５１の側面には、立体形状２５０の外側面に達する貫通孔２５２が形成されている。この貫通孔２５２は、使用形態に応じた各種のセンサの装着と配線に使用される。
もっとも、金属材料によってセンサや配線の作成が可能な場合には、貫通孔２５２の部分にセンサや配線が成形される。
【００４９】
また、空洞２５１と立体形状２５０の外側面との間には発熱体を底面側から装着するための隙間２５３が形成されている。隙間２５３は、立体形状２５０の強度を保ちつつ発熱体と香料との距離を近づける目的で設けられている。なお、空洞２５１と隙間２５３は配線用の連結路２５４によって接続されている。
金属材料によって発熱体や配線の作成が可能な場合には、隙間２５３や連結路２５４の部分が金属材料で成形される。
【００５０】
図８は、加熱によって香りを発生する場合に採用する電子回路の一例を説明する図である。
図８の場合、電子回路は、電池２６０からの給電を受けて動作するセンサ２６１の出力によって発熱体２６２に対して直列に接続されたスイッチＳＷをオンまたはオフ制御し、発熱体２６２への通電（すなわち発熱）を制御する。
勿論、香りの発生に加熱方式を採用しない場合（すなわち、立体形状２５０に対する摩擦、使用環境の温度（気温）や湿度（水分）を利用する場合）には、図７や図８に示す仕組みは不要である。
本実施の形態では、電力の供給源として電池２６０を用いているが、電力は外部から無線で供給してもよい。この場合、受電手段としてのアンテナを金属材料によって形成してもよい。
【００５１】
＜使用例＞
続いて、成形された立体形状の使用例について説明する。
・使用例１
図９は、立体形状２５０の使用例１を説明する図である。使用例１は、立体形状２５０に１種類の香り成分が付与されている場合である。この場合、温度や湿度が特定の条件を満たす場合に特定の香り（香り１）が発生される。
なお、香りの発生は、加熱方式によっても使用環境に依存する手法でもよい。
加熱方式を採用する場合には、例えばタイマーや時刻データに基づいてスイッチＳＷをオン又はオフ制御することにより特定の時間帯（例えば朝７時）に香りを発生させることができる。
また、使用環境に応じて（換言すると受動的に又はマイクロカプセルの特性に依存して）香りを発生させる場合には、立体形状２５０が使用される場所の外気温の上昇、立体形状２５０を人が握ること又は摩擦することによる温度上昇などにより香りを発生させることができる。また、雨水との接触によるマイクロカプセルの破壊により香りを発生させることができる。
【００５２】
・使用例２
図１０は、立体形状２５０の使用例２を説明する図である。使用例２は、立体形状２５０に２種類の香り成分が付与されている場合である。図１０は、温度の違いによって異なる香りが発生される。
使用環境に応じて香りを発生させる場合には、香り１に対応する香料が保存されているマイクロカプセルが破壊される温度と香り２に対応する香料が保存されているマイクロカプセルが破壊される温度が重複しないように材料を選択する。この場合、温度１では香り１が発生し、温度２では香り２が発生する。
一方、加熱方式を採用する場合には、少なくとも２つの発熱体２６２を立体形状２５０の内部に離して配置し、温度センサの出力に応じて２つの発熱体２６２による発熱を選択的に実行する。この場合、２つの発熱体２６２は互いに発熱の影響が及ばないように配置したり、熱伝導を遮断する構造（例えばスリット）を採用したりすることが望ましい。
【００５３】
・使用例３
図１１は、立体形状２５０の使用例３を説明する図である。使用例３は、立体形状２５０に２種類の香り成分が付与されている場合である。図１１は、湿度の違いによって異なる香りが発生される。
使用環境に応じて香りを発生させる場合には、香り１に対応する香料が保存されているマイクロカプセルが破壊される湿度と香り２に対応する香料が保存されているマイクロカプセルが破壊される湿度が重複しないように材料を選択する。この場合、湿度１で香り１が発生し、湿度２で香り２が発生する。
一方、加熱方式を採用する場合には、少なくとも２つの発熱体２６２を立体形状２５０の内部に離して配置し、湿度センサの出力に応じて２つの発熱体２６２による発熱を選択的に実行する。この場合、２つの発熱体２６２は互いに発熱の影響が及ばないように配置したり、熱伝導を遮断する構造（例えばスリット）を採用したりすることが望ましい。
【００５４】
・使用例４
図１２は、立体形状２５０の使用例４を説明する図である。使用例４は、立体形状２５０に２種類の香り成分が付与されている場合である。図１２は、時間帯によって異なる香りが発生される。
使用例４の場合には、加熱方式が採用される。この使用例では、立体形状２５０の内部にタイマーや時計を配置し、その出力を用いて２つの発熱体２６２による発熱を選択的に実行する。例えば朝はさわやかなミントの香り（香り１）を発生させ、夜にはリラックス効果が期待されるラベンダーの香り（香り２）を発生させてもよい。この場合も、２つの発熱体２６２は互いに発熱の影響が及ばないように配置したり、熱伝導を遮断する構造（例えばスリット）を採用したりすることが望ましい。
【００５５】
・使用例５
図１３は、立体形状２５０の使用例５を説明する図である。使用例５は、立体形状２５０に２種類の香り成分が付与されている場合である。図１３は、ユーザの年齢によって異なる香りが発生される。
使用例５の場合には、加熱方式が採用される。この使用例では、立体形状２５０の内部にスイッチを配置し、スイッチの切り替えによって２つの発熱体２６２による発熱を選択的に実行する。例えば大人にはローズの香り（香り１）を発生させ、子供にはオレンジの香り（香り２）を発生させてもよい。この場合も、２つの発熱体２６２は互いに発熱の影響が及ばないように配置したり、熱伝導を遮断する構造（例えばスリット）を採用したりすることが望ましい。
また、この使用例５は、ユーザの性別によって香りを変えたい場合にも使用できる。
【００５６】
・使用例６
図１４は、立体形状２５０の使用例６を説明する図である。使用例６は、立体形状２５０に２種類の香り成分が付与されている場合である。図１４は、使用地域によって異なる香りが発生される。
使用例６の場合には、加熱方式が採用される。この使用例では、立体形状２５０の内部にスイッチを配置し、スイッチの切り替えによって２つの発熱体２６２による発熱を選択的に実行する。例えば東南アジア（地域１）ではレモングラスの香り（香り１）を発生させ、ヨーロッパ（地域２）ではローズマリーの香り（香り２）を発生させてもよい。この場合も、２つの発熱体２６２は互いに発熱の影響が及ばないように配置したり、熱伝導を遮断する構造（例えばスリット）を採用したりすることが望ましい。
【００５７】
＜他の実施の形態＞
以上、本発明の実施の形態について説明したが、本発明の技術的範囲は上記実施の形態に記載の範囲には限定されない。上記実施の形態に、種々の変更又は改良を加えたものも、本発明の技術的範囲に含まれることは、特許請求の範囲の記載から明らかである。
例えば前述の実施の形態では、三次元データのフォーマット例としてＦＡＶフォーマットを使用したが、面と頂点から構成されるポリゴンメッシュ構造を採用するＳＬＴフォーマットやＡＭＦフォーマットに香りに関するデータを付与して使用してもよい。ポリゴンメッシュ構造を構成する１つ又は複数のオブジェクトは、互いに空間が重複しない１つ又は複数のボリュームによって記述される。ボリュームは、頂点リストと頂点同士を結びつける要素である。
【符号の説明】
【００５８】
１００…情報処理装置、１０１、２１１…制御部、１１０…香り受付部、１１１…データ生成部、１２０…香り受付画面、１２０Ａ…表示欄、１２０Ｂ…入力欄、１２１…チェックボックス欄、１２２…種類欄、１２３…条件欄、２００…立体形状成形装置、２１８…立体形状成形部、２２１…強度評価部、２２２…データ修正部、２２３…条件解析部、２２４…材料選択部、２２５…未対応通知部
【図１】
2018161770.tif 000003
【図２】
2018161770.tif 000004
【図３】
2018161770.tif 000005
【図４】
2018161770.tif 000006
【図５】
2018161770.tif 000007
【図６】
2018161770.tif 000008
【図７】
2018161770.tif 000009
【図８】
2018161770.tif 000010
【図９】
2018161770.tif 000011
【図１０】
2018161770.tif 000012
【図１１】
2018161770.tif 000013
【図１２】
2018161770.tif 000014
【図１３】
2018161770.tif 000015
【図１４】
2018161770.tif 000016